(57)【要約】【課題】    書類を見やすく垂直に位置し、且つ、固定することが出来、その設置手段を備えた固定板に関する。【解決手段】    固定板の先端にホルダー綴じ具リングを備え、該固定板にパンチ孔を施した掲示書類を綴じ、掲示したものは垂直に位置し見やすく、該固定板を固定するため紐通し穴と外郭の係止体を紐で結合又は接着剤を用い、且つ、固定板の大きさを設置場所に合わせ、用具を使わずせつ断し形状を整い、それぞれ活用可能な方法を以て固定板を固定し掲示書類を掲示することが出来る。【選択図】図１
2011056931.tif 000002
【特許請求の範囲】
【請求項１】
ホルダー綴じ具リングを備え、紐通し穴と裏面に隆起を設けた固定板。
【請求項２】
固定板裏面に設けた切り裂き溝は、切り裂き部が皮膜状で、切り裂き溝を接する両側端は切り裂き部上を斜走するランナーゲートが橋設し、該切り裂き溝口はＶ字状をなす請求項１記載の固定板。
【発明の詳細な説明】
【技術分野】
【０００１】  本発明は、書類（又はホルダーに入れた書類）を見やすく垂直に位置し、且つ、固定する事が出来、その設置手段を備えた固定板に関する。
【背景技術】
【０００２】  作業現場において、掲示書類を掲示板又は壁面に張り出し、垂直に位置して見やすく掲示する事はよくある。その他に掲示書類を固定しての掲示、例えば図面、工程表、車輛における運行表等の様に独自に使用する事がある。【０００３】  倉庫等における書類の掲示として、固定掲示された製品区分表と他に移動のある製品内訳表の掲示、工場、販売店における在庫棚の固定掲示された分類表と他に在庫品の近くにおいての商品出入庫票等の掲示がある。いずれも固定掲示された以外の掲示書類は多く、粘着テープ等で仮固定され掲示されている。
【発明の概要】
【発明が解決しようとする課題】
【０００４】  作業現場において、独自に掲示書類を掲示する場合既存の器材等を損なわない様に設置する事は、専用の取り付け具が見あたらないこと、既存の取り付け対象になる器材が材質を含め多様であること等取り付け固定がむずかしく、多くの場合仮固定ですましている。【０００５】  掲示書類をホルダーに入れ立てかけたり、鋲で固定、クリップを使い設置する事があるが、いずれの場合も仮置きの状態で掲示されている。【０００６】  本発明は、掲示書類を固定する設置場所の確保を容易にし、書類を見やすく垂直に位置する機能を同時に可能にした固定板は、前述の問題を解決しようとするものである。
【課題を解決するための手段】
【０００７】  本発明は、ホルダー綴じ具リングを備えた固定板であって、パンチ孔を施した掲示書類を該固定板に綴じ見やすく掲示するものである。【０００８】  該固定板を固定する設置場所の確保を容易に確実にするため紐、接着剤、吸盤、マグネット等の活用を組み込み、固定板の固定を可能にしようとするものであり、固定板を、固固定板に設けた紐通し穴と外郭に設置又は存在する吸盤、マグネット、突起等の係止体と紐で結び固定し、又は固定板裏面に設けた接着剤を固着する滑り止め隆起に合わせ接着剤を使用、設置場所に固定する。【０００９】  且つ、該固定板は、固定場所の棚面、垂直面、吊し場所等の設置面に合わせ形状の大きさを、固定板裏面に設けた切り裂き溝を以て変える事が出来るようにしたものである。【００１０】  該切り裂き溝は用具を使わずせつ断出来るようにし、切り裂き溝口をＶ字状に、切り裂き部を皮膜状にし切り裂き溝を接する両側端は、切り裂き部上を斜走するランナーゲートが橋設し成形を助け皮膜状にし、固定板を形成、切り裂き溝のせつ断を可能にしている。【００１１】  係止対象を選び、設置場所が確保され固定した固定板は、書類を垂直に位置して綴じ、見やすくし問題点を解決している。
【発明の効果】
【００１２】  上述の様に、作業現場において掲示書類の掲示が必要な時、固定板の設置場所の確保に紐、接着剤、吸盤、マグネット等の活用と、設置場所に合わせ固定板の大きさを変え、棚面、垂直面、吊し場所等に対応出来ることは、制約された中で適う条件を見いだしやすく、固定板を固定でき早い対応で掲示書類の掲示が可能になる。【００１３】  また、掲示書類の掲示は設置場所として棚面に多く使われている。棚面と置かれている商品等の間に固定板をはさみ固定し掲示書類を掲示できることは、従来の掲示書類の取り付け概念と異なり必要に応じ、即掲示可能になり用途は多い。【００１４】  固定板に綴じられ垂直に位置した掲示書類は見やすく、例えば自動車において、凹凸あるダッシュボード上に固定板を固定する場合、ウインドウガラスに吸盤を取り付け係止体とし固定板の紐通し穴と紐を以て結合、固定された固定板に綴じた書類は目前に垂直に位置し、運転の合間に書類の確認も可能である。尚かつ、固定された固定板に、ホルダーを綴じ置く事により使い勝手は一層よくなり作業に役立つ。
【図面の簡単な説明】
【００１５】
【図１】  本発明の一実施例を示す斜視図
【図２】  同固定板の使用例の説明図
【図３】  同固定板の図１における背面図
【図４】  同固定板の図１における  Ａ−Ａ線断面図  また破線で囲む固定板右側は切り裂き溝付近の構造を拡大して表示
【発明を実施するための形態】
【００１６】  以下、本発明の実施の形態を図１〜図４に基づいて説明する。
【００１７】  図において、１はプラスチックス等適宜素材にて成形された固定板で、該固定板１の先端部に備えられた書類を綴じるホルダー綴じ具リング２は、綴じた書類を図２で示すように垂直に位置し見やすくする。
【００１８】  ３は紐通し穴で、固定板１裏面に設けた切り裂き溝５によってブロック化されたそれぞれに配し、紐通し穴３と外郭の係止体と紐で結び、固定板１を設置位置に固定する。
【００１９】  ４は固定板１裏面に設けた滑り止め隆起で、接着剤を以て固定板１を固定する場合接着剤の固着を確かにするため、切り裂き溝５と滑り止め隆起４を合わせ活用固定板１を接着固定する。
【００２０】  ５は切り裂き溝で、固定板１裏面に設け、固定板１を固定するとき、設置場所に合わせ、固定板の大きさを切り裂き溝５を以て用具を使わずせつ断し、形状を整え固定する。
【００２１】  該切り裂き溝５は、切り裂き部６と構成され、切り裂き部６は皮膜状で、切り裂き溝５を接する両側端は、切り裂き部６上を斜走するランナーゲート７が橋設し成形を助け、切り裂き部６を皮膜状に形成している。且つ、切り裂き溝５口はＶ字状にし、Ｖ切り口８として用具を使わずせつ断可能にしている。
【００２２】  以上のように本実施形態によれば、固定板１の使用は掲示書類を早い対応で掲示ができ、効果が得られるものである。
【符号の説明】
【００２３】    １    固定板
２    ホルダー綴じ具リング
３    紐通し穴
４    滑り止め隆起
５    切り裂き溝
６    切り裂き部
７    ランナーゲート
８    Ｖ切り口
【図１】
2011056931.tif 000003
【図２】
2011056931.tif 000004
【図３】
2011056931.tif 000005
【図４】
2011056931.tif 000006
【手続補正書】
【提出日】平成22年2月8日(2010.2.8)
【手続補正１】
【補正対象書類名】図面
【補正対象項目名】図１
【補正方法】変更
【補正の内容】
【図１】
2011056931.tif 000007
【手続補正２】
【補正対象書類名】図面
【補正対象項目名】図２
【補正方法】変更
【補正の内容】
【図２】
2011056931.tif 000008